(57)【特許請求の範囲】
【請求項１】
外部から入力する映像信号の入力信号を表示するＰＤＰ（Plasma Display Panel）を筐体に収納し、商用電源からの電源を電源コードにより導入して駆動するプラズマディスプレイ装置において、その電源コードの筐体への導入部と、ＰＤＰへの入力映像信号の電流により接地電位が変動する筐体等の部位との間の雑音周波数領域におけるインピーダンスを増大させる手段を設け、前記インピーダンスを増大させる手段として、ＰＤＰに映像信号を入力する入力信号ケーブルの筐体へのコネクタを係着するパネルリア板金の筐体への取付部と筐体間に絶縁体を設け、パネルリア板金をその取付部の筐体の接地電位から絶縁することを特徴としたプラズマディスプレイ装置。
【請求項２】
前記インピーダンスを増大させる手段として、前記パネルリア板金の入力信号ケーブルのコネクタ係着部分を、金属等の導電体で被覆して電磁的に遮蔽することを特徴とした請求項１記載のプラズマディスプレイ装置。
【発明の詳細な説明】
【０００１】
【発明の属する技術分野】
本発明は、商用電源を導入する電源コードへの雑音電圧の重畳を低減したプラズマディスプレイ装置に関する。
【０００２】
【従来の技術】
薄型でテレビ映像等を大画面に表示できるものとして、ＰＤＰ（Plasma Display Panel）を用いたプラズマディスプレイ装置が重用されるようになってきた。プラズマディスプレイ装置では、一般に、表示するテレビ映像信号等を外部から入力するとともに、電源コードにより商用電源から電源を導入してＰＤＰ等を駆動している。しかし、ＰＤＰはパルス電圧によるガス放電により表示を行っているためにパルス性の雑音電圧が発生し易い。そのため、接地電位に接続している筐体においても部位により電位の変動が生じ、これが電源コードに重畳して外部に流出することとなり、周辺の電子機器に悪影響を与えることも考えられる。
【０００３】
【発明が解決しようとする課題】
本発明は上記問題点に鑑みなされたもので、商用電源を電源とするプラズマディスプレイ装置で、電源コードへの雑音電圧の重畳を低減する手段を提供することを目的とする。
【０００４】
【課題を解決するための手段】
外部から入力するテレビ映像信号等の入力信号を表示するＰＤＰを筐体に収納し、商用電源からの電源を電源コードにより導入して駆動するプラズマディスプレイ装置において、その電源コードの筐体への導入部と、ＰＤＰへの入力信号等の電流により接地電位が変動する筐体等の部位との間の雑音周波数領域におけるインピーダンスを増大させる手段を設けて、ＰＤＰへの入力信号等の流入による筐体における接地電位の変動による雑音電圧の電源コードへの重畳を低減させる。
【０００５】
前記インピーダンスを増大させる手段として、ＰＤＰにテレビ映像信号等を入力する入力信号ケーブルの筐体へのコネクタを係着するパネルリア板金の筐体への取付部と筐体間に絶縁体を設けて、パネルリア板金をその取付部の筐体の接地電位から浮かすこととする。
【０００６】
前記インピーダンスを増大させる手段として、前記パネルリア板金の入力信号ケーブルのコネクタ係着部分を、金属等の導電体で被覆して電磁的に遮蔽することとする。
【０００７】
前記インピーダンスを増大させる手段として、前記電源コードの筐体への導入部を、前記パネルリア板金の入力信号ケーブルのコネクタ係着部分から離れた部位に設けることとする。
【０００８】
【発明の実施の形態】
以下に本発明の実施の形態について、図を用いて説明する。図１は、本発明によるプラズマディスプレイ装置の１実施例の（Ａ）側面図、（Ｂ）背面図、（Ｃ）パネルリア板金部分拡大背面図、（Ｄ）パネルリア板金部分拡大底面図である。ＰＤＰ２を筐体１に収納し、入力信号ケーブル６から入力するテレビ映像信号等を表示するプラズマディスプレイ装置を構成する。ＰＤＰ２等を駆動する電源は、電源コード３を用いて電源コネクタ３ａから商用電源を導入する。電源コード３の筐体１への導入部と、ＰＤＰ２への入力信号等の電流により接地電位が変動する筐体１等の部位との間の雑音周波数領域におけるインピーダンスを増大させる手段を設けることにより、ＰＤＰ２への入力信号等の流入による筐体１における接地電位の変動による雑音電圧の電源コード３への重畳を低減させる。
【０００９】
電源コード３の筐体１への導入部と、ＰＤＰ２への入力信号等の電流により接地電位が変動する筐体１等の部位との間の雑音周波数領域におけるインピーダンスを増大させる手段としては、例えば以下のものがある。ＰＤＰ２にテレビ映像信号等を入力する入力信号ケーブル６は、筐体１にネジ５ａ等で係着するパネルリア板金５に取り付けたコネクタ６ａに挿入する。パネルリア板金５を筐体１に固着するときは、筐体の接地電位の変動による雑音電位がパネルリア板金５に乗り、これがさらに付近を通る電源ケーブル３に重畳して、外部に流出することとなる。そこで、パネルリア板金５を筐体１にネジ５ａで係着するこきは、パネルリア板金５と筐体１との間にプラスチック等からなる絶縁体４を設けて、パネルリア板金５をその取付部の筐体１の接地電位から浮かすこととする。このことにより電源コード３の筐体１への導入部と、ＰＤＰ２への入力信号等の電流により接地電位が変動する筐体１等の部位との間の雑音周波数領域におけるインピーダンスを増大させることができ、雑音電圧の電源コード３への重畳が低減する。
【００１０】
また、電源コード３の筐体への導入部と、ＰＤＰ２への入力信号等の電流により接地電位が変動する筐体１等の部位との間の雑音周波数領域におけるインピーダンスを増大させる別の手段としては、以下のようにする。入力信号ケーブル６は、パネルリア板金５に係着したコネクタ６ａに挿入して接続している。この入力信号ケーブル６にも、上記雑音電圧が重畳される。この入力信号ケーブル６はシールドすることにより、そばを通る電源ケーブル３への雑音電圧の影響を低減できる。しかし、そのコネクタ６ａの部分は遮蔽が困難である。そこで、コネクタ６ａの部分を、金属等の導電体からなるケース７をネジ７ａ等でパネルリア板金５に係止して被覆する。このことにより、コネクタ６ａの部分からの雑音電圧の電源コード３への重畳が低減できる。
【００１１】
図２は、本発明によるプラズマディスプレイ装置の別の実施例の（Ａ）側面図、（Ｂ）背面図である。上記と同様に、ＰＤＰ２を筐体１に収納し、入力信号ケーブル６から入力するテレビ映像信号等を表示するプラズマディスプレイ装置を構成する。上記のように、入力信号ケーブル６を導入するパネルリア板金５付近では、筐体２内で発生する雑音電圧が、外部に流出し易くなっている。そこで、電源コード３の筐体１への導入部を、コネクタ６ａを係着するパネルリア板金５から離れた部位に設ける。このような構造とすることで、電源コード３の筐体１への導入部と、ＰＤＰ２への入力信号等の電流により接地電位が変動する筐体１等の部位との間の雑音周波数領域におけるインピーダンスを増大させることができ、ＰＤＰ２への入力信号等の流入による筐体１における接地電位の変動による雑音電圧の電源コード３への重畳が低減する。
【００１２】
【発明の効果】
以上に説明したように、外部から入力するテレビ映像信号等の入力信号を表示するＰＤＰを筐体に収納し、商用電源からの電源を電源コードにより導入して駆動するプラズマディスプレイ装置において、その電源コードの筐体への導入部と、ＰＤＰへの入力信号等の電流により接地電位が変動する筐体等の部位との間の雑音周波数領域におけるインピーダンスを増大させる手段を設けることにより、ＰＤＰへの入力信号等の流入による筐体における接地電位の変動による雑音電圧の電源コードへの重畳を低減させることが可能となる。
【図面の簡単な説明】
【図１】本発明によるプラズマディスプレイ装置の１実施例の（Ａ）側面図、（Ｂ）背面図、（Ｃ）パネルリア板金部分拡大背面図、（Ｄ）パネルリア板金部分拡大底面図である。
【図２】本発明によるプラズマディスプレイ装置の別の実施例の（Ａ）側面図、（Ｂ）背面図である。
【符号の説明】
１  筐体
２  ＰＤＰ
３  電源コード
４  絶縁体
５  パネルリア板金
６  入力信号ケーブル
６ａ  コネクタ
７  導電体
【図１】
0003832108.tif 000002
【図２】
0003832108.tif 000003